(57)【要約】 【課題】本発明は、手根骨に骨髄液を注入する際のガイドに関する発明である。【解決手段】本発明は、上記の課題を解決するために、本発明は、上記の課題を解決するために、固定ピン４ｅを挿入するための複数のピン孔２ｂ、２ｃ、２ｄ、２ｅとストッパ付ドリル４を挿入するための複数のガイド孔２ｆ、２ｇ、２ｈ、２ｉ、２ｊ、２ｋ、２ｌを穿設した略直方体形状に形成したガイド本体２ａからなるガイド部２と、前記ガイド部２を保持し帯状の保持部３ａと傾斜部３ｂ及び握り部３ｃからなる保持部材３と、前記ガイド孔２ｆ、２ｇ、２ｈ、２ｉ、２ｊ、２ｋ、２ｌに挿入するストッパ付ドリル４と、前記ピン孔ー２ｂ、２ｃ、２ｄ、２ｅに挿入する固定ピン４ｅとからなることを特徴とする骨髄液注入ガイド１の構成とした。【選択図】  図１ 
2005342070.tif 000002
【特許請求の範囲】
【請求項１】
本発明は、上記の課題を解決するために、固定ピンを挿入するための複数のピン孔とストッパ付ドリルを挿入するための複数のガイド孔を穿設した略直方体形状に形成したガイド本体からなるガイド部と、前記ガイド部を保持し帯状の保持部と傾斜部及び握り部からなる保持部材と、前記ガイド孔に挿入するストッパ付ドリルと、前記ピン孔に挿入する固定ピンとからなることを特徴とする骨髄液注入ガイド１。
【発明の詳細な説明】
【技術分野】
【０００１】
本発明は、手根骨に骨髄液を注入する際に使用する骨髄液注入ガイドに関する発明である。
【背景技術】
【０００２】
従来、手根骨の壊死に対して行う骨髄注入は、三連ガイドやフリーハンドで行われてきた。
【０００３】
しかしながら、従来の注入方法では、三連ガイドの場合ガイド自体を固定することができないとの欠点があった。また、フリーハンドの場合も同様に安定性にかけるとの欠点があった。
【発明の開示】
【発明が解決しようとする課題】
【０００４】
そこで、本発明は骨髄液の注入部に穴を設け、骨髄液を注入し手術を安全に行うための骨髄液注入ガイドを提供することを目的とするものである。
【課題を解決するための手段】
【０００５】
本発明は、上記の課題を解決するために、固定ピン４ｅを挿入するための第１ピン孔２ｂ、第２ピン孔２ｃ、第３ピン孔２ｄ、第４ピン孔２ｅとストッパ付ドリル４を挿入するための第１ガイド孔２ｆ、第２ガイド孔２ｇ、第３ガイド孔２ｈ、第４ガイド孔２ｉ、第５ガイド孔２ｊ、第６ガイド孔２ｋ、第７ガイド孔２ｌを穿設した略直方体形状に形成したガイド本体２ａからなるガイド部２と、前記ガイド部２を保持し帯状の保持部３ａと傾斜部３ｂ及び握り部３ｃからなる保持部材３と、前記ガイド孔２ｆ、２ｇ、２ｈ、２ｉ、２ｊ、２ｋ、２ｌに挿入するストッパ付ドリル４と、前記ピン孔２ｂ、２ｃ、２ｄ、２ｅに挿入する固定ピン４ｅとからなることを特徴とする骨髄液注入ガイド１の構成とした。
【発明の効果】
【０００６】
本発明の骨髄液注入ガイドは固定ピンにより骨髄液注入ガイドと患部を固定することができるため、目的箇所に安全に穴を設け、骨髄液を注入することができる。
【０００７】
また、ストッパ付ドリルを挿入する複数のガイド孔が平行に穿設されているため、目的箇所に骨髄液を注入するための複数の穴を設けることができる。
【発明を実施するための最良の形態】
【０００８】
安全な骨髄液注入手術を行うという目的を、固定ピンを複数使用し、複数のガイド孔を平行に穿設したことによって実現した。
【実施例１】
【０００９】
図１は本発明である骨髄液注入ガイドの正面図、図２は骨髄液注入ガイドの左側面図、図３は骨髄液注入ガイドの右側面図、図４は骨髄液注入ガイドの平面図、図５は骨髄液注入ガイドの底面図、図６は骨髄液注入ガイドのＡ−Ａ線に沿った断面斜視図である。
【００１０】
図１から図６に示すように、本発明である骨髄液注入ガイド１は、ガイド部２と保持部材３とからなる。前記ガイド部２は、略直方体状のガイド本体２ａとガイド本体２ａに形成されている貫通孔であり小径の第１ピン孔２ｂ〜第４ピン孔２ｅと大径の第１ガイド孔２ｈ〜第７ガイド孔２ｌからなる。ガイド本体２ａの上面から下面にかけては、第１ピン孔２ｂ〜第４ピン孔２ｅ及び第１ガイド孔２ｈ〜第７ガイド孔２ｌが貫通して穿設されている。
【００１１】
図４及び図５に示すように、ストッパ付ドリル４を挿入する第１ガイド孔２ｈ〜第７ガイド孔２ｌの径より小径の第１ピン孔２ｂ、第２ピン孔、第３ピン孔２ｅは、ガイド本体２ａの上面の四隅にから下面の四隅に向かって垂直かつ互いに平行になるように穿設されている。
【００１２】
また、図６に示すように、上記のようにガイド本体２ａには、複数のガイド孔２ｆ、２ｇ、２ｈ、２ｉ、２ｊ、２ｋ、２ｌがガイド本体２ａの上面から下面にかけて貫通して、かつ前記ピン孔２ｂ〜２ｅと平行になるように穿設されている。前記第１ガイド孔２ｆ〜第７ガイド孔２ｌの径は、前記第１ピン孔２ｂ〜第４ピン孔２ｅの径よりも大きく図４及び図５に示すような位置で穿設されている。
【００１３】
即ち、ガイド本体２ａ上面より見て中央部に左方から第１ガイド孔２ｆ、第４ガイド孔２ｉ、第７ガイド孔２ｌの３つのガイド孔が等間隔に穿設されている。前記第１ガイド孔２ｆ及び第４ガイド孔２ｉとの間の位置の上側には第２ガイド孔２ｇが、反対の下側には第３ガイド孔３ｈが穿設されている。また、前記第４ガイド孔２ｉと第７ガイド孔２ｌの間の位置の上面には第５ガイド孔２ｊが、反対の下側には第６ガイド孔２ｋが穿設されている。
【００１４】
図４に示すように、前記第２、第５ガイド孔２ｇ、２ｊと前記第３、第６ガイド孔２ｈ、２ｋは一直線上に並んだ前記第１、第４、第７ガイド孔２ｆ、２ｉ、２ｌを中心として上下対称の位置に穿設されている。
【００１５】
前記第１ガイド孔２ｆの上下には第１ピン孔２ｂ、第２ピン孔２ｃが穿設されており、第７ガイド孔２ｌの上下には第３ピン孔２ｄ、第４ピン孔２ｅが穿設されている。
【００１６】
図１から図６に示すように、保持部材３は前記ガイド部２を保持する保持部３ａと連結図３ｂ、握り部３ｃとからなる。前記保持部３ａは上面よりみると略長方形状をしている枠であり、枠の内側に前記ガイド部２を保持している。
【００１７】
図１に示すように前記保持部３ａの左面の上部からは外側に向かって傾斜部３ｂが伸びており、傾斜部３ｂからは更に外側に向かって握り部３ｃが伸びている。前記傾斜部３ｂ及び握り部３ｃは共に外側に向かって傾斜しているが、傾斜部３ｂの傾斜角のほうが握り部３ｃの傾斜角よりもきつい。
【００１８】
図７は本発明である骨髄液注入ガイドで使用するストッパ付ドリルの正面斜視図、図８は骨髄液注入ガイドにストッパ付ドリルを取り付けた状態を示した図、図９は骨髄液注入ガイドにストッパ付ドリルを取り付けた状態を示した断面図である。
【００１９】
図７に示すように目的箇所に穴を開けるためのストッパ付ドリル４はストッパ部４ａと芯棒４ｂとからなる。前記ストッパ部４ａ及び芯棒４ｂは円柱の細い棒で、ストッパ部４ａの径の方が芯棒４ｂの径よりも太くなっている。そのため、大径のストッパ部４ａと小径の芯棒４ｂの連結部分には段差４ｄが形成されている。前記芯棒４ｂの先端４ｃは鋭く尖っている。
【００２０】
図８及び図９に示すように、前記骨髄液注入ガイド１の任意のガイド孔２ｆ〜２ｌに前記ストッパ付ドリル４を差し込んで使用する。ストッパ付ドリル４には途中に段差４ｄが設けられている。
【００２１】
この段差４ｄの径は任意のガイド孔２ｆ〜２ｌよりも大きいため前記任意のガイド孔２ｆ〜２ｌに差し込んだ際に段差４ｄで止まるようになっている。前記段差４ｄの位置は、骨髄液注入ガイド１の下面より芯棒４ｂが１０ｍｍ突出して止まる位置に設けられている。
【００２２】
図１０は本発明である骨髄注入ガイドを使用している状態を示した図、図１１及び図１２は骨髄注入ガイドを使用している状態を示した断面図である。図１０及び図１１に示すように、まず手根骨５ｂ上部の皮膚を切開し本発明である骨髄液注入ガイド１を手根骨５ｂ近くにあてる。第１ピン孔２ｂ〜第４ピン孔２ｅに固定ピン４ｅ、４ｅ、４ｅ、４ｅを手根骨５ｂまで差し込んで、手根骨５ｂと骨髄液注入ガイド１を固定する。
【００２３】
ガイド本体２ａ上面より差し込んだ固定ピン４ｅ、４ｅ、４ｅ、４ｅの余った部分は、ガイド本体２ａの上面より数ミリ残して切り落とす。手根骨５ｂと骨髄液注入ガイド１を固定したら、ガイド本体２ａの任意のガイド孔２ｆ〜２ｌの何れかにストッパ付ドリル４を挿入し、目的箇所に骨髄液を注入するための穴を開ける。
【００２４】
図１２に示すように、手根骨５ｂの目的箇所に穴を開けた後、ストッパ付ドリル４を骨髄液注入ガイド１より抜き、骨髄液の入った注射器６の針６ｂを前記ストッパ付ドリル４を挿入したガイド孔に差し込み骨髄液注入のために開けた穴から骨髄液を注入する。尚、符号５は腕を表し、符号５ａは腕の骨を表している。
【００２５】
骨髄液の注入が終わったら注射器６を骨髄液注入ガイド１から外し、固定ピン４ｅ、４ｅ、４ｅ、４ｅを骨髄液注入ガイド１より外す。最後に骨髄液注入ガイド１を外して完了である。
【図面の簡単な説明】
【００２６】
【図１】本発明である骨髄液注入ガイドの正面図である。
【図２】本発明である骨髄液注入ガイドの左側面図である。
【図３】本発明である骨髄液注入ガイドの右側面図である。
【図４】本発明である骨髄液注入ガイドの平面図である。
【図５】本発明である骨髄液注入ガイドの底面図である。
【図６】本発明である骨髄液注入ガイドのＡ−Ａ線に沿った断面斜視図である。
【図７】本発明である骨髄液注入ガイドで使用するストッパ付ドリルの正面斜視図である。
【図８】本発明である骨髄液注入ガイドにストッパ付ドリルを取り付けた状態を示した図である。
【図９】本発明である骨髄液注入ガイドにストッパ付ドリルを取り付けた状態を示した断面図である。
【図１０】本発明である骨髄注入ガイドを使用している状態を示した図である。
【図１１】本発明である骨髄注入ガイドを使用している状態を示した断面図である。
【図１２】本発明である骨髄注入ガイドを使用している状態を示した断面図である。
【符号の説明】
【００２７】
１      骨髄液注入ガイド
２      ガイド部
２ａ    ガイド本体
２ｂ    第１ピン孔
２ｃ    第２ピン孔
２ｄ    第３ピン孔
２ｅ    第４ピン孔
２ｆ    第１ガイド孔
２ｇ    第２ガイド孔
２ｈ    第３ガイド孔
２ｉ    第４ガイド孔
２ｊ    第５ガイド孔
２ｋ    第６ガイド孔
２ｌ    第７ガイド孔
３      保持部材
３ａ    保持部
３ｂ    傾斜部
３ｃ    握り部
４      ストッパ付ドリル
４ａ    芯棒
４ｂ    ストッパ
４ｃ    先端
４ｄ    段差
４ｅ    固定ピン
４ｆ    先端
５      腕
５ａ    骨
５ｂ    手根骨
６      注射器
６ａ    筒
６ｂ    針
６ｃ    ピストン
【図１】
2005342070.tif 000003
【図２】
2005342070.tif 000004
【図３】
2005342070.tif 000005
【図４】
2005342070.tif 000006
【図５】
2005342070.tif 000007
【図６】
2005342070.tif 000008
【図７】
2005342070.tif 000009
【図８】
2005342070.tif 000010
【図９】
2005342070.tif 000011
【図１０】
2005342070.tif 000012
【図１１】
2005342070.tif 000013
【図１２】
2005342070.tif 000014